(57)【要約】【課題】性能の低下を抑制しつつ、低沸点媒体の蒸気の外部への漏出を防止することができるバイナリー発電システムを提供する。【解決手段】蒸発器と、タービンと、凝縮器とを備え、且つ、内部で低沸点媒体を循環させる閉ループ状の循環系統を有し、タービンは、ケーシングと、ケーシングを貫通する回転軸と、回転軸の軸線方向一方側の外周面とケーシングの内周面との間をシールする第１メカニカルシール部材と、第１メカニカルシール部材よりも回転軸の軸線方向他方側に設けられて回転軸の外周面とケーシングの内周面との間をシールする第２メカニカルシール部材とを備え、ケーシング内の、第１メカニカルシール部材と第２メカニカルシール部材との間に位置する第１空間に循環系統内から液状の低沸点媒体を供給する媒体供給ラインと、第１空間から循環系統内へと液状の低沸点媒体を返送する媒体返送ラインとを有するバイナリー発電システムである。【選択図】図１
2014199026.tif 000002
【特許請求の範囲】
【請求項１】
低沸点媒体の蒸気を作動流体として用いるバイナリー発電システムであって、
低沸点媒体を加熱して低沸点媒体の蒸気を得る蒸発器と、前記低沸点媒体の蒸気の運動エネルギーを回転軸の回転エネルギーに変換するタービンと、前記タービンにおいて運動エネルギーの一部を前記回転軸の回転エネルギーに変換した前記低沸点媒体の蒸気を凝縮させる凝縮器とを備え、且つ、内部で前記低沸点媒体を循環させる閉ループ状の循環系統を有し、
前記タービンは、ケーシングと、前記ケーシングを貫通する回転軸と、前記回転軸に固定された羽根車と、前記ケーシング内で前記回転軸を回転自在に支持する軸受と、前記ケーシング内で前記回転軸の軸線方向一方側の外周面と前記ケーシングの内周面との間をシールする第１メカニカルシール部材と、前記ケーシング内の前記第１メカニカルシール部材よりも回転軸の軸線方向他方側に設けられて前記回転軸の外周面と前記ケーシングの内周面との間をシールする第２メカニカルシール部材とを備え、
前記ケーシング内の、前記第１メカニカルシール部材と前記第２メカニカルシール部材との間に位置する第１空間に前記循環系統内から液状の低沸点媒体を供給する媒体供給ラインと、
前記第１空間から前記循環系統内へと前記液状の低沸点媒体を返送する媒体返送ラインと、
を更に有することを特徴とする、バイナリー発電システム。
【請求項２】
前記タービンは、前記ケーシング内の前記第２メカニカルシール部材よりも回転軸の軸線方向他方側に設けられて前記回転軸の外周面と前記ケーシングの内周面との間をシールする第３メカニカルシール部材を更に備え、
前記ケーシング内の、前記第２メカニカルシール部材と前記第３メカニカルシール部材との間に位置する第２空間に前記低沸点媒体と相溶する媒体よりなる冷却液を流通する冷却液流通機構を有することを特徴とする、請求項１に記載のバイナリー発電システム。
【請求項３】
前記冷却液流通機構は、前記第１空間内を流れる前記液状の低沸点媒体の圧力よりも低い供給圧力で前記冷却液を前記第２空間へと供給することを特徴とする、請求項２に記載のバイナリー発電システム。
【請求項４】
前記循環系統が、前記凝縮器で得た前記低沸点媒体の蒸気の凝縮物を含む液状の低沸点媒体を前記蒸発器に送る媒体送液ポンプを更に備え、
前記媒体供給ラインは、前記媒体送液ポンプと前記蒸発器との間で前記循環系統内から液状の低沸点媒体を抜き出して前記第１空間に供給し、
前記媒体返送ラインは、前記媒体送液ポンプと前記蒸発器との間であって、前記媒体供給ラインを用いて前記液状の低沸点媒体を抜き出す位置よりも前記蒸発器側の位置に前記液状の低沸点媒体を返送することを特徴とする、請求項１〜３の何れかに記載のバイナリー発電システム。
【発明の詳細な説明】
【技術分野】
【０００１】
本発明は、低沸点媒体の蒸気を作動流体として用いるバイナリー発電システムに関するものである。
【背景技術】
【０００２】
従来、アンモニア等の水よりも沸点が低い低沸点媒体を加熱し、発生した蒸気を用いてタービン発電機のタービンの羽根車を回転させることにより発電するバイナリー発電システムが知られている（例えば、特許文献１参照）。
【０００３】
ここで、タービン発電機を用いた従来のバイナリー発電システムでは、液状の低沸点媒体を加熱して気化させる蒸発器と、低沸点媒体の蒸気の運動エネルギーを回転軸の回転エネルギーに変換するタービンと、低沸点媒体の蒸気を凝縮させる凝縮器と、液状の低沸点媒体を蒸発器に送る媒体送液ポンプとを備える閉ループ内で低沸点媒体を循環させる。そして、このバイナリー発電システムでは、タービンで得た回転エネルギーがタービン発電機の発電機で電気エネルギーに変換される。
【先行技術文献】
【特許文献】
【０００４】
【特許文献１】特開２００９−２２１９６１号公報
【発明の概要】
【発明が解決しようとする課題】
【０００５】
ここで、上述したバイナリー発電システムでは、タービンの回転軸と、当該回転軸を回転自在に支持する軸受との間の隙間等からアンモニアなどの低沸点媒体の蒸気が外部へ漏れ出す可能性がある。そのため、回転軸と軸受との間の隙間等からの低沸点媒体の蒸気の漏出を防止する必要がある。
【０００６】
そこで、本発明者らは、ケーシングと、ケーシングを貫通する回転軸と、回転軸に固定された羽根車と、ケーシング内で回転軸を支持する一対の軸受と、回転軸の軸線方向両端部の外周面側にそれぞれ配置されたメカニカルシール部材とを備えるタービンを使用すると共に、メカニカルシール部材でシールされたタービンのケーシング内に冷却液を流通させることに着想した。このようなタービンを用いれば、メカニカルシール部材と、ケーシング内を流れる冷却液との双方を利用して、低沸点媒体の蒸気がバイナリー発電システムから外部へと漏れ出すのを防止することができる。
【０００７】
ここで、バイナリー発電システムの閉ループ内を流れる低沸点媒体蒸気が外部へ漏れ出すのを確実に防止する観点からは、タービンのケーシング内に流通させる冷却液の圧力を閉ループ内の圧力より高くすることが好ましい。しかしながら、本発明者らが更に検討を重ねたところ、タービンのケーシング内に流通させる冷却液の圧力が高いと、ケーシング内からバイナリー発電システムの閉ループ内へと冷却液が流れ出し、低沸点媒体の組成が変化してバイナリー発電システムの性能が低下するという問題が生じることを新たに見出した。
【０００８】
そこで、本発明は、低沸点媒体の組成の変化による性能の低下を抑制しつつ、低沸点媒体の蒸気の外部への漏出を防止することができるバイナリー発電システムを提供することを目的とする。
【課題を解決するための手段】
【０００９】
この発明は、上記課題を有利に解決することを目的とするものであり、本発明のバイナリー発電システムは、低沸点媒体の蒸気を作動流体として用いるバイナリー発電システムであって、低沸点媒体を加熱して低沸点媒体の蒸気を得る蒸発器と、前記低沸点媒体の蒸気の運動エネルギーを回転軸の回転エネルギーに変換するタービンと、前記タービンにおいて運動エネルギーの一部を前記回転軸の回転エネルギーに変換した前記低沸点媒体の蒸気を凝縮させる凝縮器とを備え、且つ、内部で前記低沸点媒体を循環させる閉ループ状の循環系統を有し、前記タービンは、ケーシングと、前記ケーシングを貫通する回転軸と、前記回転軸に固定された羽根車と、前記ケーシング内で前記回転軸を回転自在に支持する軸受と、前記ケーシング内で前記回転軸の軸線方向一方側の外周面と前記ケーシングの内周面との間をシールする第１メカニカルシール部材と、前記ケーシング内の前記第１メカニカルシール部材よりも回転軸の軸線方向他方側に設けられて前記回転軸の外周面と前記ケーシングの内周面との間をシールする第２メカニカルシール部材とを備え、前記ケーシング内の、前記第１メカニカルシール部材と前記第２メカニカルシール部材との間に位置する第１空間に前記循環系統内から液状の低沸点媒体を供給する媒体供給ラインと、前記第１空間から前記循環系統内へと前記液状の低沸点媒体を返送する媒体返送ラインとを更に有することを特徴とする。
このように、メカニカルシール部材を有するタービンを使用すれば、低沸点媒体の蒸気がバイナリー発電システムから外部へと漏れ出すのを抑制することができる。更に、ケーシングの第１空間内に液状の低沸点媒体を流通させれば、メカニカルシール部材のみでは低沸点媒体の蒸気の漏出を防止できなかった場合であっても、低沸点媒体の蒸気をケーシング内で凝縮させることができるので、低沸点媒体の蒸気がバイナリー発電システムから外部へと漏れ出すのを防止することができる。更に、循環系統内から抜き出した液状の低沸点媒体を第１空間内に流通させると共に、流通させた液状の低沸点媒体を再び循環系統内へと戻せば、ケーシング内を流れるシール用の液状の低沸点媒体が循環系統内に流出しても、閉ループ状の循環系統内を流れる低沸点媒体の組成の変化を抑制することができる。従って、低沸点媒体の組成の変化によるバイナリー発電システムの性能の低下を抑制することができる。
【００１０】
ここで、本発明のバイナリー発電システムは、前記タービンが、前記ケーシング内の前記第２メカニカルシール部材よりも回転軸の軸線方向他方側に設けられて前記回転軸の外周面と前記ケーシングの内周面との間をシールする第３メカニカルシール部材を更に備え、前記ケーシング内の、前記第２メカニカルシール部材と前記第３メカニカルシール部材との間に位置する第２空間に前記低沸点媒体と相溶する媒体よりなる冷却液を流通する冷却液流通機構を有することが好ましい。第３メカニカルシール部材を設けて第１空間よりも回転軸の軸線方向他方側に第２空間を形成し、当該第２空間に低沸点媒体と相溶する媒体よりなる冷却液を流通すれば、第１空間内を流れる低沸点媒体が回転軸の軸線方向他方側に向かってケーシング外部へと漏れ出すのを抑制することができる。従って、バイナリー発電システムからの低沸点媒体の漏れ出しを確実に抑制することができる。
なお、本発明において、「相溶する」とは、混合した際に単一かつ均一な液相を形成することを指す。
【００１１】
また、本発明のバイナリー発電システムは、前記冷却液流通機構が、前記第１空間内を流れる前記液状の低沸点媒体の圧力よりも低い供給圧力で前記冷却液を前記第２空間へと供給することが好ましい。第１空間内を流れる液状の低沸点媒体の圧力よりも低い供給圧力で冷却液を供給すれば、冷却液が第２空間内から第１空間内へと流入するのを抑制して、循環系統内を流れる低沸点媒体の組成が変化するのを抑制することができる。従って、第２空間内に冷却液を流通させた場合であっても、低沸点媒体の組成の変化によるバイナリー発電システムの性能の低下を確実に抑制することができる。
【００１２】
そして、本発明のバイナリー発電システムは、前記循環系統が、前記凝縮器で得た前記低沸点媒体の蒸気の凝縮物を含む液状の低沸点媒体を前記蒸発器に送る媒体送液ポンプを更に備え、前記媒体供給ラインは、前記媒体送液ポンプと前記蒸発器との間で前記循環系統内から液状の低沸点媒体を抜き出して前記第１空間に供給し、前記媒体返送ラインは、前記媒体送液ポンプと前記蒸発器との間であって、前記媒体供給ラインを用いて前記液状の低沸点媒体を抜き出す位置よりも前記蒸発器側の位置に前記液状の低沸点媒体を返送することが好ましい。媒体供給ラインが媒体送液ポンプと蒸発器との間で液状の低沸点媒体を抜き出して第１空間に供給すれば、追加のポンプを設けることなく、加圧された液状の低沸点媒体を第１空間内に供給して低沸点媒体の蒸気の漏出を確実に防止することができる。
【発明の効果】
【００１３】
本発明のバイナリー発電システムによれば、低沸点媒体の組成の変化による性能の低下を抑制しつつ、低沸点媒体の蒸気の外部への漏出を防止することができる。
【図面の簡単な説明】
【００１４】
【図１】本発明に従う代表的なバイナリー発電システムの概略構成を示す説明図である。
【図２】図１に示すバイナリー発電システムのタービンの構成を示す断面図である。
【発明を実施するための形態】
【００１５】
以下、本発明の実施の形態を、図面に基づき詳細に説明する。
ここで、本発明のバイナリー発電システムでは、低沸点媒体の蒸気を作動流体として用いて発電を行う。なお、本発明のバイナリー発電システムは、アンモニア、ブタン、ペンタン等の単体を低沸点媒体として用いるランキンサイクル方式のバイナリー発電システムであってもよいし、水とアンモニアとの混合物を低沸点媒体として用いるカリーナサイクル方式のバイナリー発電システムであってもよい。
【００１６】
＜バイナリー発電システム＞
図１に、本発明に従うバイナリー発電システムの一例の概略構成を示す。このバイナリー発電システム１０は、カリーナサイクル方式のバイナリー発電システムである。
【００１７】
バイナリー発電システム１０は、タービンＴと発電機９とからなるタービン発電機を有している。そして、バイナリー発電システム１０では、低沸点媒体タンク１と、媒体送液ポンプＰ１と、再生熱交換器２と、蒸発器３と、流体加熱器４と、分離器５と、蒸気加熱器６と、タービンＴと、吸収器７と、凝縮器８とを備える閉ループ状の循環系統１１内で低沸点媒体を循環させることにより、タービン発電機を用いて発電を行う。
【００１８】
ここで、低沸点媒体タンク１は、液状の低沸点媒体を貯留するタンクである。そして、低沸点媒体タンク１中の低沸点媒体（この一例のバイナリー発電システム１０では、水とアンモニアとの混合物）は、媒体送液ポンプＰ１により、再生熱交換器２を介して蒸発器３へと送られる。
【００１９】
再生熱交換器２は、低温の低沸点媒体と、後に詳細に説明する分離器５において分離された高温の蒸発残液との間で熱交換を行い、低沸点媒体が蒸発器３へと流入する前に低沸点媒体を予加熱する装置である。この再生熱交換器２では、蒸発残液の有する熱エネルギーが低沸点媒体の予加熱に有効利用される。
【００２０】
そして、再生熱交換器２で予加熱された低沸点媒体は、蒸発器３において更に加熱され、少なくとも一部が蒸気となる。具体的には、蒸発器３では、低沸点媒体が加熱され、大部分がアンモニア蒸気よりなる低沸点媒体蒸気と、大部分が水よりなる蒸発残液との混合流体が生成する。なお、蒸発器３において低沸点媒体を加熱する際の熱源としては、焼却炉等からの温排水、加熱炉の排気ガス、温泉、蒸気などのバイナリー発電において通常用いられる熱源を使用することができる。
【００２１】
流体加熱器４は、蒸発器３で得た低沸点媒体蒸気と蒸発残液との混合流体を更に加熱し、低沸点媒体蒸気の量を増やすと共に、低沸点媒体蒸気を加熱する装置である。なお、流体加熱器４において混合流体を加熱する際の熱源としては、蒸発器３と同様の熱源を使用することができる。
【００２２】
分離器５は、流体加熱器４から流出した低沸点媒体蒸気と蒸発残液との混合流体を、低沸点媒体蒸気と、蒸発残液とに気液分離する装置である。そして、分離器５で分離された低沸点媒体蒸気は、蒸気加熱器６へと送られる。また、蒸発残液は、蒸発残液ライン１２を通り、再生熱交換器２を経て吸収器７へと送られる。なお、分離器５としては、ミストセパレーターやサイクロンなどの既知の気液分離装置を用いることができる。
【００２３】
蒸気加熱器６は、分離器５で分離された低沸点媒体蒸気を加熱し、バイナリー発電システム１０の発電効率を向上させるための装置である。なお、蒸気加熱器６において低沸点媒体蒸気を加熱する際の熱源としては、蒸発器３や流体加熱器４と同様の熱源を使用することができる。
【００２４】
タービンＴは、蒸気加熱器６から流出した低沸点媒体蒸気の運動エネルギーを回転軸の回転エネルギーに変換する装置である。そして、タービンＴの回転軸は発電機９に接続されており、タービンＴで得た回転エネルギーは、発電機９において電気エネルギーに変換される。
【００２５】
吸収器７は、タービンＴの回転軸を回転させた後の低沸点媒体蒸気と、分離器５で分離した蒸発残液とを混合し、低沸点媒体蒸気の一部を蒸発残液に吸収させる装置である。なお、吸収器７としては、スプレー塔等の既知の気液混合装置を用いることができる。
【００２６】
凝縮器８は、吸収器７から流出した低沸点媒体蒸気と蒸発残液との混合流体を冷却し、タービンＴにおいて運動エネルギーの一部が回転軸の回転エネルギーに変換された低沸点媒体蒸気を凝縮させる装置である。そして、凝縮器８において低沸点媒体蒸気を凝縮させて得られる液状の低沸点媒体（低沸点媒体蒸気の凝縮物と蒸発残液との混合物）は、低沸点媒体タンク１に貯留された後、媒体送液ポンプＰ１により再び蒸発器３へと送られる。
【００２７】
ここで、上述したバイナリー発電システム１０のタービンＴは、回転軸の軸線方向に沿う断面を図２に示すように、ケーシング１００と、ケーシング１００を貫通する回転軸１１０と、回転軸１１０の軸線方向一端（図２では左側端）に固定された羽根車１２０と、ケーシング１００内で回転軸１１０を回転自在に支持する一対の軸受１３１，１３２とを備えている。
また、タービンＴは、回転軸１１０のうちケーシング１００内に位置する部分の外周面側に配置された合計３つのメカニカルシール部材１４１，１４２，１４３を備えている。具体的には、タービンＴは、ケーシング１００内で回転軸１１０の軸線方向一方側（図２では左側）の端部の外周面とケーシング１００の内周面との間をシールする第１メカニカルシール部材１４１と、第１メカニカルシール部材１４１よりも回転軸１１０の軸線方向他方側（図２では右側）に設けられて回転軸１１０の外周面とケーシング１００の内周面との間をシールする第２メカニカルシール部材１４２と、第２メカニカルシール部材１４２よりも回転軸１１０の軸線方向他方側に設けられて回転軸１１０の軸線方向他方側の端部の外周面とケーシング１００の内周面との間をシールする第３メカニカルシール部材１４３とを備えている。
【００２８】
ここで、ケーシング１００は、回転軸１１０を挿通可能な筒状体であり、特に限定されることなく、軸線方向一方側（図２では左側）に位置する第１ケーシング部材１０１、軸線方向中央に位置する第２ケーシング部材１０２および軸線方向他方側（図２では右側）に位置する第３ケーシング部材１０３の３つの部材で構成されている。なお、第１ケーシング部材１０１、第２ケーシング部材１０２および第３ケーシング部材１０３は、既知の手法を用いて互いに液密に連結されている。
そして、このタービンＴでは、一対の軸受１３１，１３２および第２メカニカルシール部材１４２は、第２ケーシング部材１０２の内側に設けられている。また、第１メカニカルシール部材１４１は、第１ケーシング部材１０１の内周面と、回転軸１１０の外周面との間に設けられている。更に、第３メカニカルシール部材１４３は、第３ケーシング部材１０３の内周面と、回転軸１１０の外周面との間に設けられている。
【００２９】
また、回転軸１１０に固定された羽根車１２０は、ケーシング１００の外側に位置し、複数の羽根１２１を有している。そして、タービンＴでは、羽根車１２０の近傍に設けられた複数の噴出ノズル１２２から羽根１２１に向けて低沸点媒体蒸気を噴き付けることにより、羽根車１２０と、一対の軸受１３１、１３２に軸支された回転軸１１０とを回転させる。
【００３０】
ここで、タービンＴの回転軸１１０は、下記の回転軸シール方法を用いてシールされている。そして、このバイナリー発電システム１０では、タービンＴの回転軸１１０が下記の方法を用いてシールされているので、羽根１２１に噴き付けられた低沸点媒体蒸気がタービンＴ内を通って蒸気のままバイナリー発電システム１０の外へと漏れるのを防止することができる。
【００３１】
（タービンの回転軸シール方法）
図２に示すタービンＴの回転軸１１０は、３つのメカニカルシール部材１４１，１４２，１４３と、ケーシング１００内に流通させた流体とを用いてシールされている。
具体的には、タービンＴでは、ケーシング１００内の、第１メカニカルシール部材１４１と第２メカニカルシール部材１４２との間に位置する第１空間Ｓ１に液状の低沸点媒体を流通させることにより、羽根１２１に噴き付けられた低沸点媒体蒸気がタービンＴ内を通って蒸気のまま外部へと漏れるのを防止している。また、タービンＴでは、ケーシング１００内の、第２メカニカルシール部材１４２と第３メカニカルシール部材１４３との間に位置する第２空間Ｓ２に冷却液を流通させることにより、第１空間Ｓ１内を流れる低沸点媒体がケーシング１１０の外部へと（即ち、回転軸１１０の軸線方向他方側に向かって）漏れ出すのを抑制している。
【００３２】
ここで、このバイナリー発電システム１０では、第１空間Ｓ１に流通させる液状の低沸点媒体として、閉ループ状の循環系統１１内から抜き出した液状の低沸点媒体、即ち循環系統１１内を流れる液状の流体を用いる。即ち、図１に示すように、バイナリー発電システム１０では、第１空間Ｓ１に循環系統１１内から液状の低沸点媒体を供給する媒体供給ライン１３と、第１空間Ｓ１から循環系統１１内へと液状の低沸点媒体を返送する媒体返送ライン１４とを設け、循環系統１１内を流れる液状の低沸点媒体を第１空間Ｓ１内に流通させている。
なお、この一例のバイナリー発電システム１０では、媒体供給ライン１３は、媒体送液ポンプＰ１と蒸発器３との間、より具体的には媒体送液ポンプＰ１と再生熱交換器２との間から分岐して延び、ケーシング１００の第２ケーシング部材１０２に設けられた低沸点媒体供給口１５１に接続されている。また、媒体返送ライン１４は、ケーシング１００の第２ケーシング部材１０２に設けられた低沸点媒体排出口１５２と、循環系統１１とを、媒体送液ポンプＰ１と蒸発器３との間、より具体的には媒体送液ポンプＰ１と再生熱交換器２との間であって、媒体供給ライン１３が分岐する位置よりも蒸発器３側の位置で接続している。因みに、第１空間Ｓ１内に流通させる液状の低沸点媒体の流量は、媒体供給ライン１３または媒体返送ライン１４に図示しない流量調整弁を設けることにより、調整することができる。
【００３３】
また、バイナリー発電システム１０では、第２空間Ｓ２に流通させる冷却液として、低沸点媒体とは組成が異なり、且つ、低沸点媒体と相溶する媒体よりなる冷却液を用いる。ここで、第２空間Ｓ２への冷却液の供給は、第２ケーシング部材１０２に設けられた冷却液供給口１５３を介して行うことができる。また、第２空間Ｓ２からの冷却液の排出は、第２ケーシング部材１０２に設けられた冷却液排出口１５４を介して行うことができる。更に、冷却液の供給は、図１に示すように冷却液ポンプＰ２を用いて行うことができる。そして、これら冷却液ポンプＰ２、冷却液供給口１５３および冷却液排出口１５４は、第２空間Ｓ２に冷却液を流通する冷却液流通機構として機能する。
なお、低沸点媒体と相溶する媒体（冷却液）としては、例えば低沸点媒体としてアンモニアと水との混合物を用いた場合には、水を用いることができる。
【００３４】
そして、上記バイナリー発電システム１０によれば、タービンＴのケーシング１００内にメカニカルシール部材１４１，１４２，１４３を設けているので、低沸点媒体の蒸気がバイナリー発電システム１０から外部へと漏れ出すのを抑制することができる。
また、バイナリー発電システム１０では、ケーシング１００の第１空間Ｓ１内に液状の低沸点媒体を流通させているので、メカニカルシール部材のみでは低沸点媒体の蒸気の漏出を防止できなかった場合であっても、低沸点媒体の蒸気をケーシング内で凝縮させることができる。従って、低沸点媒体の蒸気がバイナリー発電システムから外部へと漏れ出すのを防止することができる。
【００３５】
なお、このバイナリー発電システム１０では、媒体供給ライン１３および媒体返送ライン１４を設けて、循環系統１１内を流れる液状の低沸点媒体を第１空間Ｓ１内に流通させている。従って、第１空間Ｓ１内に冷却液などの低沸点媒体とは組成が異なる媒体を流通させた場合とは異なり、第１空間Ｓ１内に流通させている流体（低沸点媒体）が第１メカニカルシール部材１４１と回転軸１１０の外周面との間の隙間から循環系統１１内に流出しても、循環系統１１内の低沸点媒体の組成が変化するのを抑制することができる。そして、その結果、低沸点媒体の組成の変化に起因してバイナリー発電システムの性能が低下するのを抑制することができる。そのため、このバイナリー発電システム１０では、第１空間Ｓ１内に流通させる液状の低沸点媒体の圧力を、タービンＴの羽根１２１に噴き付けられた低沸点媒体蒸気の圧力よりも高い圧力にし、第１空間Ｓ１内に流通させている流体を循環系統１１内に流出させた場合であっても、バイナリー発電システムの性能が低下するのを抑制することができる。なお、第１空間Ｓ１内に流通させる液状の低沸点媒体の圧力を低沸点媒体蒸気の圧力よりも高くした場合、循環系統１１内からケーシング１００内への低沸点媒体蒸気の流入を抑制することができる。また、第１メカニカルシール部材１４１の内周面と回転軸１１０の外周面との間に液状の低沸点媒体を供給して、シール面での摩擦により第１メカニカルシール部材１４１が損傷するのを抑制することもできる。
因みに、このバイナリー発電システム１０では、媒体供給ライン１３が媒体送液ポンプＰ１と蒸発器３との間で循環系統１１から分岐しているので、追加のポンプなどを設けることなく、高圧の低沸点媒体を第１空間Ｓ１内に供給して低沸点媒体の蒸気の漏出を確実に防止することができる。
【００３６】
また、冷却液などの低沸点媒体とは組成が異なる媒体を第１空間Ｓ１内に流通させた場合には、循環系統１１内から第１空間Ｓ１側へと低沸点媒体蒸気が流入した際に、低沸点媒体蒸気の有する熱量を有効に活用することができず、廃棄しなければならない。しかし、このバイナリー発電システム１０では、第１空間Ｓ１に液状の低沸点媒体を流通させると共に、媒体返送ライン１４を設けて低沸点媒体を循環系統１１内へと戻しているので、第１空間Ｓ１内へと流入した低沸点媒体蒸気の有する熱量を有効に利用することもできる。
【００３７】
更に、バイナリー発電システム１０では、ケーシング１００内に第２空間Ｓ２を形成して、低沸点媒体とは異なる組成を有し、且つ、低沸点媒体と相溶する媒体よりなる冷却液を第２空間Ｓ２に流通させている。従って、回転軸１１０の外周面と第２シーリング部材１４２との間の隙間から第１空間Ｓ１内の低沸点媒体が回転軸１１０の軸線方向他方側に向かって流出しても、低沸点媒体がケーシング１００の外部（例えば、大気中）へと漏れ出すのを抑制することができる。従って、バイナリー発電システムからの低沸点媒体の漏れ出しを確実に抑制することができる。因みに、冷却液に相溶した低沸点媒体は、所定の方法により処理してもよいし、濃度が十分に低ければ、そのまま廃棄処分してもよい。
【００３８】
なお、第２空間Ｓ２に冷却液を流通させる場合、冷却液ポンプＰ２を用いて冷却液を第２空間Ｓ２へと供給する供給圧力は、第１空間Ｓ１内を流れる液状の低沸点媒体の圧力よりも低くすることが好ましい。即ち、バイナリー発電システム１０では、冷却液ポンプＰ２の吐出圧力は、媒体送液ポンプＰ１の吐出圧力よりも低いことが好ましい。低沸点媒体とは異なる組成を有する冷却液を第２空間Ｓ２に高圧で流通させた場合、第２メカニカルシール部材１４２と回転軸１１０の外周面との間の隙間を介して第２空間Ｓ２内から第１空間Ｓ１内へと冷却液が流出し、循環系統１１内を流れる低沸点媒体の組成が変化する虞がある。従って、第２空間Ｓ２内への冷却液の供給圧力を、第１空間Ｓ１内を流れる液状の低沸点媒体の圧力よりも低くすれば、低沸点媒体の組成の変化を抑制して、バイナリー発電システムの性能の低下を確実に抑制することができる。
【００３９】
以上、一例を用いて本発明のバイナリー発電システムについて説明したが、本発明のバイナリー発電システムは、上記一例に限定されることはなく、本発明のバイナリー発電システムには、適宜変更を加えることができる。
具体的には、本発明のバイナリー発電システムは、流体加熱器や蒸気加熱器を有していなくてもよい。また、本発明のバイナリー発電システムのタービンは、羽根車を回転軸の中央部に固定し、羽根車の軸線方向両側に、メカニカルシール部材を備え、且つ、冷却液が流通されるケーシングを設けた構造（即ち、回転軸を両側で支持する構造）であってもよい。
【産業上の利用可能性】
【００４０】
本発明によれば、低沸点媒体の組成の変化による性能の低下を抑制しつつ、低沸点媒体の蒸気の外部への漏出を防止することができるバイナリー発電システムを提供することができる。
【符号の説明】
【００４１】
１  低沸点媒体タンク
２  再生熱交換器
３  蒸発器
４  流体加熱器
５  分離器
６  蒸気加熱器
７  吸収器
８  凝縮器
９  発電機
１０  バイナリー発電システム
１１  循環系統
１２  蒸発残液ライン
１３  媒体供給ライン
１４  媒体返送ライン
Ｔ  タービン
Ｐ１  媒体送液ポンプ
Ｐ２  冷却液ポンプ
１００  ケーシング
１０１  第１ケーシング部材
１０２  第２ケーシング部材
１０３  第３ケーシング部材
１１０  回転軸
１２０  羽根車
１２１  羽根
１２２  噴出ノズル
１３１，１３２  軸受
１４１  第１メカニカルシール部材
１４２  第２メカニカルシール部材
１４３  第３メカニカルシール部材
１５１  低沸点媒体供給口
１５２  低沸点媒体排出口
１５３  冷却液供給口
１５４  冷却液排出口
Ｓ１  第１空間
Ｓ２  第２空間
【図１】
2014199026.tif 000003
【図２】
2014199026.tif 000004